(57)【要約】   【課題】  常時携帯性に優れ、雨雪時や日照時に傘を開くとともに容易かつ確実に手を保護することができる傘袋および傘袋付きの傘を提供する。  【解決手段】  折り畳み傘２００を収納する傘袋１００である。傘袋１００が、折り畳み傘２００を出し入れする傘袋開口部１２０と、折り畳み傘２００を収納する傘袋本体１１０と、傘袋本体１１０の側面にあり傘袋本体１１０内に手を入れた場合に親指が存在する位置付近に設けられた親指用開口部１３０を備えた構成となっている。利用者が折り畳み傘２００を取り出したあと、手袋として兼用できる。親指用開口部１３０を開閉させる開閉手段を備えることも可能である。【選択図】  図１
2019034044.tif 000002
【特許請求の範囲】
【請求項１】
折り畳んだ状態の折り畳み傘を収納する傘袋であって、
前記傘袋が、前記折り畳み傘を出し入れする傘袋開口部と、
前記傘袋開口部を介して前記折り畳み傘を収納する傘袋本体と、
前記傘袋本体の側面であって、前記傘袋開口部から利用者が手を前記傘袋本体内に入れた場合に親指が存在する位置付近に設けられた親指用開口部を備え、
前記利用者が前記折り畳み傘を取り出したあと、手袋として兼用できることを特徴とする傘袋。
【請求項２】
前記親指用開口部の開口を開閉させる開閉手段を備えたことを特徴とする請求項１に記載の傘袋。
【請求項３】
前記親指用開口部に取り付けられた親指用袋体を備え、前記傘袋開口部以外が閉鎖され、親指が入る前記親指用袋体と、人差し指から小指までが入る前記傘袋本体を備えたミトン型の手袋形状となっていることを特徴とする請求項１に記載の傘袋。
【請求項４】
前記傘袋本体を構成する布材が撥水加工およびＵＶカット加工が施されたものであることを特徴とする請求項１に記載の傘袋。
【請求項５】
請求項１から４のいずれかに記載の傘袋と、前記傘袋に収納可能な折り畳み傘を備えた、傘袋付きの折り畳み傘。
【請求項６】
前記折り畳み傘が、雨傘である請求項５に記載の傘袋付きの傘。
【請求項７】
前記折り畳み傘が、日傘である請求項５に記載の傘袋付きの傘。
【発明の詳細な説明】
【技術分野】
【０００１】
本発明は、傘袋および傘袋付きの傘に関する。特に折り畳み傘に適用するものである。
【背景技術】
【０００２】
傘は、傘骨間に貼付した傘布により雨傘として雨・雪を回避したり、日傘として紫外線を回避したりするものである。
しかし、傘の持ち手のまわりは傘布から離れており、傘布による雨雪や紫外線の回避効果が得られにくい箇所である。冬季には傘をさす手が風雨、風雪にさらされる。また、春季や夏季の日中は紫外線にさらされる。
そこで、傘の持ち手を把持する利用者の手を如何に保護するかが問題となる。
【０００３】
例えば、手袋を装着する手段がある。
手袋は専用手袋もあるが汎用的なものも多く、その素材も皮革製、布製、毛糸製など多様なものがある。
しかし、毛糸製であれば撥水性に欠けているので雨雪は回避することができず、また、紫外線を反射するＵＶカット加工も十分にはできないので紫外線を回避するものではない。
【０００４】
皮革製の手袋は撥水加工やＵＶカット加工も可能であるが、全体として重く、嵩張るため、手軽に常時携帯することは難しい。また、一般には防寒用途のものが多いため、冬季以外には使用しづらいという問題もある。
【０００５】
一方、布製の手袋は、撥水加工やＵＶカット加工が可能であり、全体として軽く、折り畳むなどの収納性にもすぐれており比較的嵩張らない。従来技術において、ＵＶカット加工を施し、日焼け防止用として肘から手まで覆う長手袋が知られている。しかし、一般には、常時携帯することは難しく、ハンドバッグなどの携帯手段が必要となってしまう。
【０００６】
傘の持ち手を把持する利用者の手を如何に保護するかという問題は従来から指摘されていた。
例えば、実開平５−１１８１２号公報（特許文献１）に開示されたものが知られている。図７は従来技術における実開平５−１１８１２号公報（特許文献１）に開示された傘のハンドルカバーを示した図である。特許文献１に開示された傘のハンドルカバーは、Ｊの字に曲がった傘の持ち手に対して、Ｊの字をなぞるように袋状のものを取り付けたものである。全体としては輪状になっており、中央付近の大きな開口に対して指を差し込みそのままＪの字のハンドルカバーを指で握りしめるものである。ハンドルカバーの中央の輪の中に位置する掌や手の甲を覆って保護するものである。
【０００７】
また、例えば、実用新案登録第３０９９３３６号公報（特許文献２）に開示された傘のハンドルカバーが知られている。図８は従来技術における実用新案登録第３０９９３３６号公報（特許文献２）に開示された傘のハンドルカバーを示した図である。特許文献２の傘のハンドルカバーは、ハンドル周辺部へ脱着自在に付加し得る袋状の専用品であり、人の掌を収容する大きさのスカート状のものである。防水性シート、通気性素材などからなり、ハンドルカバー下部の開口部から掌を挿入して使用するものである。
【０００８】
【特許文献１】実開平５−１１８１２号公報
【特許文献２】実用新案登録第３０９９３３６号公報
【発明の開示】
【発明が解決しようとする課題】
【０００９】
しかし、特許文献１の傘のハンドルカバーには、常時携帯性に関する問題がある。特許文献１に開示されたハンドルカバーは袋状にＪ字の持ち手をぐるりと全体を覆うもので嵩張るものであるため常に持ち運ぶには不相応な大きさである。
また、特許文献１の傘のハンドルカバーには、取り付け作業に関する問題がある。特許文献１の傘のハンドルカバーは、屈曲したＪ字状のものをぐるりと覆うように取り付ける必要があるため、取り付け作業が難しいと言わざるを得ない。
また、特許文献１の傘のハンドルカバーは、指先や手首付近の防護が不十分であるという問題がある。特許文献１の傘のハンドルカバーは、屈曲したＪ字状のものをぐるりと覆うように取り付けだけであるので、ハンドルカバーの開口から指を突っ込んで持ち手を把持すると指は露出したままであり、指が風雨や風雪にさらされ、紫外線にも晒されることとなる。なお、手首付近にも何も覆うものがなく、手首が風雨や風雪にさらされ、紫外線にも晒されることとなる。
【００１０】
次に、特許文献２の傘のハンドルカバーには、常時携帯性に関する問題がある。特許文献２の傘のハンドルカバーは人の掌が入る大きさを持つスカート状のものであって、傘のハンドル部に対して装着するものである。しかし、ハンドルカバーは傘のハンドルと一体化しているものではないので、別途ハンドルカバーを携帯しなければならない。
また、特許文献２の傘のハンドルカバーには、取り付け作業に関する問題がある。特許文献２の傘のハンドルカバーはスカート状の布体を、傘のハンドル部に対して巻き付けるように装着しなければならない。しかし、特許文献２の傘のハンドルカバーを傘のハンドル部に対して巻き付ける作業は容易ではなく、雨雪の中ではそのような装着作業は困難な場合がある。
また、特許文献２の傘のハンドルカバーは、下方からの風雨に弱いという弱点がある。特許文献２の傘のハンドルカバーはスカート状の布体を、傘のハンドル部に対して巻き付けて装着したものであるので、スカート上の布体は下面が大きく開口しているので、風が下方から煽るように吹いた場合、スカート状の布体は容易に捲りあがって手が露出してしまう。
【００１１】
上記課題を解決するため、本発明は、常時携帯性に優れ、雨雪時や日照時に傘を開くとともに容易かつ確実に手を保護することができる傘袋および傘袋付きの傘を提供することを目的とする。
【課題を解決するための手段】
【００１２】
上記目的を達成するため、本発明の傘袋は、折り畳んだ状態の折り畳み傘を収納する傘袋であって、前記傘袋が、前記折り畳み傘を出し入れする傘袋開口部と、前記開口部を介して前記折り畳み傘を収納する傘袋本体と、前記傘袋本体の側面であって、前記傘袋開口部から利用者が手を前記傘袋本体内に入れた場合に親指が存在する位置付近に設けられた親指用開口部を備え、前記利用者が前記折り畳み傘を取り出したあと、手袋として兼用できることを特徴とするものである。
【００１３】
上記構成により、傘袋に収納した状態で折り畳み傘を携帯できるので傘袋は常時携帯性に優れている。かつ、折り畳み傘を使用する際は傘袋から折り畳み傘を取り出して折り畳み傘を開くとともに、その傘袋に対して傘袋開口部から手を突っ込んで親指を親指用開口部から出すだけで簡易手袋として使用でき、手指、掌、親指でしっかりと傘の持ち手を把持することができる。このように手袋として使用することは極めて簡単で短時間に可能となる。また、手袋兼用の傘袋を手袋として使用中は傘袋の布体がしっかりと手の周囲を被覆しているため、風雨などがあっても手袋として機能し得る。
【００１４】
なお、上記構成において、親指用開口部の開口を開閉させる開閉手段を備えた構成とすることが好ましい。
これは、水漏れ防止用の工夫である。雨雪時に折り畳み傘を使用した後、建物内に入るなど傘の使用を停止したあと、折り畳み傘を折り畳んで傘袋の中に収納した場合、親指用開口部の開口が常に開放した状態であれば、折り畳み傘の表面に残っている水分が、親指用開口部から傘袋の外側へ染み出してくるので、水漏れをおこしてしまう。ハンドバックやカバンの中を濡らしてしまうことを防止することができる。
【００１５】
また、上記構成において、親指用開口部に取り付けられた親指用袋体を備えた構成も可能である。この構成の場合は、傘袋開口部以外が閉鎖され、親指が入る親指用袋体と、人差し指から小指までが入る傘袋本体を備えたミトン型の手袋形状となる。
ここで、手袋として兼用するにあたり、傘袋本体を構成する布材に撥水加工およびＵＶカット加工を施しておくことが好ましい。撥水加工を施すことにより、風雨時の手袋として兼用している使用時に風雨にさらされたとしても手には水分が染み込むことがなくなり、手が濡れるという不快感がない。また、ＵＶカット加工を施しておくことにより、晴天時の手袋として兼用している使用時に日光が差し込んでも手は紫外線に晒されることがなくなり、手が日焼けすることがない。
【００１６】
次に、本発明の提供形態であるが、本発明は、傘袋の提供だけではなく、傘袋とともに傘本体も含めた傘袋付き傘として提供できる。つまり、上記した本発明の傘袋と、傘袋に収納可能な折り畳み傘を備えた傘袋付きの折り畳み傘として提供できる。
折り畳み傘としては、雨傘でも良く、日傘でも良い。
【発明の効果】
【００１７】
本発明にかかる傘袋および傘袋付き折り畳み傘によれば、傘袋に収納した状態で折り畳み傘を携帯できるので傘袋は常時携帯性に優れ、かつ、折り畳み傘を使用する際は傘袋に対して傘袋開口部から手を突っ込んで親指を親指用開口部から出すだけで簡易手袋として使用できる。また、手袋兼用の傘袋を手袋として使用中は傘袋の布体がしっかりと手の周囲を被覆しているため、風雨などがあっても手袋として機能し得る。
【図面の簡単な説明】
【００１８】
【図１】本発明の傘袋１００を構成する基本構成を示す図である。
【図２】傘袋１００から折り畳み傘２００を取り出した状態を示す図である。
【図３】傘袋１００を手袋として兼用して使用している状態を示す図である。
【図４】利用者が折り畳み傘２００の持ち手を把持した様子を示す図である。
【図５】開閉手段１３１として親指用開口部１３０の開口と、当該親指用開口部１３０の開口を覆う小片を備えた例を示す図である。
【図６】親指用開口部１３０の開口に対して親指用袋体１３２を取り付けた構成例を示す図である。
【図７】従来技術における実開平５−１１８１２号公報（特許文献１）に開示された傘のハンドルカバーを示した図である。
【図８】従来技術における実用新案登録第３０９９３３６号公報（特許文献２）に開示された傘のハンドルカバーを示した図である。
【発明を実施するための最良の形態】
【００１９】
以下、本発明の傘袋および傘袋付き折り畳み傘の実施例を説明する。なお、本発明はこれらの実施例に限定されるものではない。
【実施例１】
【００２０】
実施例１にかかる本発明の傘袋１００の基本構成を示す。
図１は、本発明の傘袋１００を構成する基本構成を示す図である。
図１（ａ）は、傘袋１００に折り畳み傘２００を収納した状態を示す図である。図１（ｂ）は、傘袋１００の中から折り畳み傘２００を取り出した状態を示す図である。
図１に示すように、傘袋１００は、傘袋本体１１０、傘袋開口部１２０、親指用開口部１３０を備えたものとなっている。
【００２１】
傘袋本体１１０は、折り畳み傘２００を収納する袋体である。傘袋本体１１０の大きさは特に限定されないが、例えば、内径は折り畳み傘２００の外径よりやや大きいものとなっており、また、長さは折り畳んだ状態の折り畳み傘２００の長さ、つまり、石突きの先端から傘骨全体の長さであって持ち手を除く長さに対応するものとなっており、図１（ａ）に示すように傘袋本体１１０の中に折り畳んだ状態の折り畳み傘２００を収納することができるものとなっている。
なお、傘袋本体１１０の色、模様、柄については特に限定されない。折り畳み傘の傘布の色、模様、柄と合わせたものとしても良いし、異なるものとしても良い。デザインは自由である。
【００２２】
傘袋開口部１２０は、傘袋本体１１０の開口部であり、折り畳み傘を出し入れする口となっている。なお、後述するように、本発明の傘袋１００は手袋としても兼用できるが、手袋として使用する場合、この傘袋開口部１２０は手を出し入れる手袋の口となる。
【００２３】
親指用開口部１３０は、傘袋本体１１０の側面に設けられ、傘袋開口部１２０から利用者が手を傘袋本体１１０内に入れた場合に親指が当たる位置付近に設けられた開口である。親指が通るサイズに開口していれば良く、過剰に大きくする必要はない。
親指用開口部１３０は傘袋本体１１０の側面に設けられておれば右利き用、左利き用の別はない。右利き用で使用する利用者は親指用開口部１３０が右手の親指に位置するように傘袋本体１１０の方向を合わせればよい。同様に、左利き用で使用する利用者は親指用開口部１３０が左手の親指に位置するように傘袋本体１１０の方向を合わせればよい。
【００２４】
本発明の傘袋１００は、利用者が折り畳み傘１００を取り出したあと、手袋として兼用できることができる点に特徴がある。
図２は、傘袋１００から折り畳み傘２００を取り出した状態を示す図である。右利きの利用者が使用する状態を例に説明している。
図２（ａ）は、手の甲側に装着する方向から傘袋１００を示した図である。親指用開口部が左側に位置している。
図２（ａ）は、掌側に装着する方向から傘袋１００を示した図である。親指用開口部が右側に位置している。
図２に示すように、傘袋１００から折り畳み傘２００を取り出せば、傘袋１００が手元にある。
利用者は、傘袋開口部１２０から手を傘袋１００に対して挿入してゆく。
【００２５】
図３は、傘袋１００を手袋として兼用して使用している状態を示す図である。
利用者が傘袋開口部１２０から手を傘袋本体１１０内に対して挿入してゆくと、手全体が傘袋１００内に収まる。指先が傘袋本体１１０の奥に行き当たると、概ねその親指の位置に親指用開口部１３０が設けられている。利用者はこの親指用開口部１３０から親指を外に出す。親指用開口部１３０は親指が通るサイズに開口しているので、容易に親指を外に出すことができる。
図３（ａ）は、手の甲側から傘袋１００を示した図である。親指が左側にある親指用開口部から外に出ている。
図３（ｂ）は、掌側から傘袋１００を示した図である。親指が左側にある親指用開口部から外に出ている。
【００２６】
図３を見れば、傘袋１００はおおむね手袋のように機能していることが分かる。親指は外に出ているものの、掌、手の甲、手首までスッポリと全体が手袋として兼用する傘袋１００により覆われ、雨雪から手を十分に防護し、日照に含まれる紫外線から手を十分に防護できることが分かる。
一般の手袋には、各指が独立した指袋に収められたいわゆる５本指の手袋が汎用的であるが、一方、親指のみは独立した指袋があるが、人先指から小指までは一つの指袋に収められたいわゆるミトン型の手袋も存在する。この構成例では、いわゆるミトン型の手袋に近い使用感が得られる。
【００２７】
次に、傘袋本体１１０に対する撥水加工およびＵＶカット加工について述べる。傘袋１００を手袋として兼用するにあたり、傘袋本体１１０を構成する布材に対して撥水加工およびＵＶカット加工を施しておく。撥水加工やＵＶカット加工は一般技術として様々なものが広く知られており、傘袋本体１１０の布材に適用できるものであれば特に限定されない。傘袋本体１１０に撥水加工を施すことにより、風雨時の手袋として兼用している使用時に風雨にさらされたとしても水分がはじかれ、内部の手にまで水分が染み込むことがなくなり、手が濡れるという不快感がなくなる。また、ＵＶカット加工を施しておくことにより、晴天時は日照角度などにより傘の持ち手付近に陽が差すことがあり得るが、手袋として兼用している傘袋本体１１０にＵＶカット加工が施されておれば、日光が差し込んでも紫外線が透過することがなく、手が日焼けすることがなくなる。
【００２８】
図４は、利用者が折り畳み傘２００の持ち手を把持した様子を示す図である。いわゆるミトン型の手袋のように、人先指から小指までを収めた傘袋本体１１０と、親指用開口部１３０から外部へ出した親指によって折り畳み傘２００の持ち手を挟持することにより、しっかりと折り畳み傘２００の持ち手を把持することができる。折り畳み傘２００を使用する間、親指は外に出ているものの、掌、手の甲、手首までスッポリと全体が手袋として兼用する傘袋１００により覆われており、雨雪から手を十分に防護し、日照に含まれる紫外線から手を十分に防護できることが分かる。
【実施例２】
【００２９】
実施例２にかかる傘袋１００ａは、親指用開口部１３０の開口を開閉させる開閉手段１３１を備えた構成例である。
実施例２は水漏れ防止用の工夫を施した例である。
実施例１の構成例では、親指用開口部１３０が開放状態であり、特に開閉手段を示していないが、本実施例２では、親指用開口部１３０の開口を開閉させる開閉手段１３１を備えた構成となっている。
【００３０】
雨雪時に折り畳み傘を使用すれば、傘布にはびっしりと水滴が付着していることが想定される。通常、利用者は建物中に入るなど雨を回避できる場所に到着すれば折り畳み傘２００の使用を終了する。その際、傘布に付着した水滴を払うなどして水滴を切った後、折り畳み傘２００を折り畳んで傘袋１００の中に収納する。しかし、親指用開口部１３０の開口が常に開放した状態であれば、折り畳み傘２００の傘布１００ａの表面に残存している水分が、親指用開口部１３０から傘袋１００の外側へ染み出してくることもあり得る。水漏れするとハンドバックやカバンの中を濡らしてしまうこともあり得る。
そこで、本実施例２では、親指用開口部１３０の開口を開閉させる開閉手段１３１を備えた構成例となっている。
【００３１】
図５は、開閉手段１３１として親指用開口部１３０の開口と、当該親指用開口部１３０の開口を覆う小片を備えた例を示す図である。図５に示すように、親指用開口部１３０の開口縁と小片にそれぞれ面ファスナーを備えたものとし、面ファスナーを介した取り付け取り外しを行うことにより、容易に親指用開口部１３０の開口を開閉することができる。
【００３２】
なお、図５の構成に限らず、他の開閉手段も適用可能である。例えば、親指用開口部１３０の開口縁と小片にそれぞれボタンホックを取り付け、ボタンホックにより開閉する構成もあり得る。例えば、親指用開口部１３０の開口縁と小片にそれぞれボタンとボタンホールを取り付け、ボタンホールへのボタン通しにより開閉する構成もあり得る。簡単に親指用開口部１３０の開口を開閉できる手段であれば採用することができる。
【実施例３】
【００３３】
実施例３にかかる傘袋１００ｂは、親指用開口部１３０に取り付けられた親指用袋体１３２を備えた構成例である。
実施例１の構成例では、親指用開口部１３０が開放状態であり、特に親指用袋体を示していないが、本実施例３では、親指用開口部１３０の開口縁に親指用袋体を取り付けた構成となっている。
親指用開口部１３０の開口縁に親指用袋体を取り付けるメリットとしては、上記実施例２に示したように、親指用開口部１３０を介した水漏れ防止用の工夫のほか、さらに、親指自体も雨雪から十分に防護し、日照に含まれる紫外線から十分に防護することができる。
【００３４】
図６は、親指用開口部１３０の開口に対して親指用袋体１３２を取り付けた構成例を示す図である。
図６（ａ）は、折り畳み傘２００を傘袋１００ｂに収納した状態を示す図である。図１（ａ）に比べて親指用開口部１３０の位置に親指用袋体１３２が付加されていることが分かる。
図６（ｂ）は、折り畳み傘２００を傘袋１００ｂから取り出した状態を示す図である。図６（ｂ）に示すように、傘袋開口部１２０以外は袋内がすべて閉鎖された手袋状となり、親指が入る親指用袋体１３２と、人差し指から小指までが入る傘袋本体１１０を備えたいわゆるミトン型の手袋となっている。
このまま、手袋として傘袋開口部１２０から手を挿入すれば、ミトン型の手袋として兼用できることが分かる。
【００３５】
なお、本発明の傘袋１００の使用後のメンテナンスについて述べる。
上記のように実施例１から実施例３に示した傘袋は、利用者は建物中に入るなど雨を回避できる場所に到着すれば折り畳み傘２００の使用を終了し、傘袋１００内に収納するが、雨天中で使用した直後の折り畳み傘２００を傘袋１００の中に収納すれば、傘袋本体１１０の内面が濡れる場合がある。そこで、自宅に到着すれば、傘袋１００を裏返すなどして内面まで乾燥させるようメンテナンスを施すことが好ましい。
【００３６】
以上、様々な実施例を説明したが、利用者への販売は、上記した実施例１から３のいずれかに記載の傘袋１００と、傘袋に収納可能な折り畳み傘２００を備えた、傘袋付きの折り畳み傘として提供すれば良い。
折り畳み傘２００としては、雨傘専用でも良く、日傘専用のものでも良く、また、雨傘・日傘兼用のものでも良い。
【００３７】
以上、本発明の傘袋および傘袋付きの折り畳み傘の構成例における好ましい実施形態を図示して説明してきたが、本発明の技術的範囲を逸脱することなく種々の変更が可能であることは理解されるであろう。
【産業上の利用可能性】
【００３８】
本発明の傘袋および傘袋付きの折り畳み傘は、一般の雨傘、日傘として広く適用することができる。傘は折り畳み傘であれば良く、傘袋は折り畳み傘に適したサイズであれば良い。
【符号の説明】
【００３９】
１００  傘袋
１１０  傘袋本体
１２０  傘袋開口部
１３０  親指用開口部
１３１  開閉手段
１３２  親指用袋体
【図１】
2019034044.tif 000003
【図２】
2019034044.tif 000004
【図３】
2019034044.tif 000005
【図４】
2019034044.tif 000006
【図５】
2019034044.tif 000007
【図６】
2019034044.tif 000008
【図７】
2019034044.tif 000009
【図８】
2019034044.tif 000010
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
折り畳んだ状態の折り畳み傘を収納する傘袋であって、
前記傘袋が、前記折り畳み傘を出し入れする傘袋開口部と、
前記傘袋開口部を介して前記折り畳み傘を収納する傘袋本体と、
前記傘袋本体の側面であって、前記傘袋開口部から利用者が手を前記傘袋本体内に入れた場合に親指が存在する位置付近に設けられ、前記傘袋本体から親指のみを外界に開放して突出させる親指用開口部を備え、
前記利用者が前記折り畳み傘を取り出したあと、手袋として兼用できることを特徴とする傘袋。
【請求項２】
前記親指用開口部の開口を外界に対して開閉させる開閉手段を備えたことを特徴とする請求項１に記載の傘袋。
【請求項３】
前記傘袋本体を構成する布材が撥水加工およびＵＶカット加工が施されたものであることを特徴とする請求項１または２に記載の傘袋。
【請求項４】
請求項１から３のいずれかに記載の傘袋と、前記傘袋に収納可能な折り畳み傘を備えた、傘袋付きの折り畳み傘。
【請求項５】
前記折り畳み傘が、雨傘である請求項４に記載の傘袋付きの傘。
【請求項６】
前記折り畳み傘が、日傘である請求項４に記載の傘袋付きの傘。